(57)【要約】【課題】紙葉類の表裏反転にかかる処理時間の短縮化を図るようにした表裏反転装置を提供する。【解決手段】表裏反転装置１０において、駆動手段４０により反転ベルト３０が駆動されている状態で紙葉類Ｓが搬入されると、紙葉類Ｓは反転ベルト３０と反転部２０との間で挟まれて、反転ベルト３０の移動に追従して搬送方向に移動する。このとき、反転ベルト３０は、反転部２０の長手方向に対して斜めに沿うように掛けられているので、紙葉類Ｓの略１８０度の反転を可能にする。この反転ベルト３０は、略９０度捻られた状態の第１の無端反転ベルト２１と、この第１の無端反転ベルト２１に隣接して長手方向に延在する状態で略９０度捻られた第２の無端反転ベルト２２とによって、紙葉類Ｓの略１８０度反転を可能にしているので、反転部２０に対し反転ベルト３０を１本掛けにすることに比べ、ベルト掛けが容易である。しかも、反転ベルト３０の利用によって、紙葉類Ｓの確実な表裏反転と、紙葉類の表裏反転にかかる処理時間の短縮とが図られる。【選択図】  図１
2004345830.tif 000002
【特許請求の範囲】
【請求項１】
搬送経路上で搬送される紙葉類の表裏を反転させるための表裏反転装置において、
前記紙葉類の搬送方向に延在する反転部と、
一部が前記反転部に沿うようにして、前記反転部の長手方向に対し斜めに掛けられて前記紙葉類の略１８０度反転を可能にする反転ベルトと、
前記反転ベルトを駆動させる駆動手段とを備え、
前記反転ベルトは、
第１の入口側ローラと第１の出口側ローラとの間で巻回されて、前記反転部の長手方向に延在すると共に、略９０度捻られた状態で前記反転部の表面に押し当てられた第１の無端反転ベルトと、
前記第１の出口側ローラに隣接した第２の入口側ローラと第２の出口側ローラとの間で巻回されて、前記反転部の長手方向に延在すると共に、略９０度捻られた状態で前記反転部の表面に押し当てられた前記第２の無端反転ベルトとを備えたことを特徴とする表裏反転装置。
【請求項２】
前記駆動手段は、モータによって、前記第１の入口側ローラと前記第２の出口側ローラとを同期して回転させることを特徴とする請求項１記載の表裏反転装置。
【発明の詳細な説明】
【０００１】
【発明の属する技術分野】
本発明は、紙幣、証券等の紙葉類の表裏を反転させるための表裏反転装置に関するものである。
【０００２】
【従来の技術】
従来、このような分野の技術として、特開平９−８１８２９号公報に開示されている。この公報に記載された表裏反転装置は、紙幣の搬送方向に延在する回転自在な切替えブレードを有している。そして、反転処理予定の紙幣が搬送されてきた場合には、切替えブレードは紙幣の搬送方向に対して平行になり、紙幣は切替えブレード上を搬送されて、搬送路外に排出される。このようにして搬送路外に排出された紙幣は、所定位置で一旦停止する。そして、切替えブレードを所定の角度だけ傾けた後、紙幣を切替えブレードに向けて逆送させると、紙幣はその後端側から搬送路に戻され、紙幣の表裏反転が完了する。
【０００３】
【特許文献１】
特開平９−８１８２９号公報
【０００４】
【発明が解決しようとする課題】
しかしながら、前述した従来の表裏反転装置には、次のような課題が存在している。すなわち、搬送中の紙幣を反転時に一旦停止させているため、紙幣の表裏反転にかかる処理時間が長くならざるを得ず、高速反転処理の弊害となっていた。
【０００５】
本発明は、上述の課題を解決するためになされたもので、紙葉類の表裏反転にかかる処理時間の短縮化を図るようにした表裏反転装置を提供することを目的とする。
【０００６】
【課題を解決するための手段】
本発明に係る表裏反転装置は、搬送経路上で搬送される紙葉類の表裏を反転させるための表裏反転装置において、紙葉類の搬送方向に延在する反転部と、一部が反転部に沿うようにして、反転部の長手方向に対し斜めに掛けられて紙葉類の略１８０度反転を可能にする反転ベルトと、反転ベルトを駆動させる駆動手段とを備え、反転ベルトは、第１の入口側ローラと第１の出口側ローラとの間で巻回されて、反転部の長手方向に延在すると共に、略９０度捻られた状態で反転部の表面に押し当てられた第１の無端反転ベルトと、第１の出口側ローラに隣接した第２の入口側ローラと第２の出口側ローラとの間で巻回されて、反転部の長手方向に延在すると共に、略９０度捻られた状態で反転部の表面に押し当てられた第２の無端反転ベルトとを備えたことを特徴とする。
【０００７】
この表裏反転装置において、駆動手段により反転ベルトが駆動されている状態で紙葉類が搬入されると、紙葉類は反転ベルトと反転部との間で挟まれて、反転ベルトの移動に追従して搬送方向に移動する。このとき、反転ベルトは、反転部の長手方向に対して斜めに沿うように掛けられているので、紙葉類の略１８０度の反転を可能にする。さらに、この反転ベルトは、略９０度捻られた状態の第１の無端反転ベルトと、この第１の無端反転ベルトに隣接して長手方向に延在する状態で略９０度捻られた第２の無端反転ベルトとによって、紙葉類の略１８０度反転を可能にしているので、反転部に対し反転ベルトを１本掛けにする場合に比べ、ベルト掛けが容易である。しかも、反転ベルトの利用によって、紙葉類の確実な表裏反転と、紙葉類の表裏反転にかかる処理時間の短縮とが図られる。
【０００８】
また、駆動手段は、モータによって、第１の入口側ローラと第２の出口側ローラとを同期して回転させると好適である。このように、第１の無端反転ベルトを駆動させる第１の入口側ローラと、第２の無端反転ベルトを駆動させる第２の出口側ローラとを同期させることで、二分割した反転ベルトであっても紙葉類の安定した反転が可能になる。
【０００９】
【発明の実施の形態】
以下、図面を参照しつつ本発明に係る表裏反転装置の好適な実施形態について詳細に説明する。
【００１０】
図１及び図２に示された表裏反転装置１０は、水平方向における一端に入口（ＩＮ）が設けられ、他端に出口（ＯＵＴ）が設けられた横型の表裏反転装置である。この表裏反転装置１０は、２枚の平行な側板１１，１２と、この両側板１１，１２の下端で側板１１，１２間に架け渡された底板１３とからなるハウジング１４を有している。このハウジング１４内には、紙葉類（例えば、紙幣やカード類）Ｓの表裏を反転させるための反転手段Ｐが配置されている。そして、入口側に配置された上下一対の繰り入れローラ１６によって、紙葉類Ｓは、挟まれながら反転手段Ｐ内に導かれる。これに対し、紙葉類Ｓは、出口側に配置された上下一対の繰り出しローラ１７によって、反転手段Ｐから排出される。
【００１１】
この反転手段Ｐは、搬送方向（略水平方向）に延在する円柱状の細長い反転部２０（図４参照）を有している。この反転部２０における入口側の一端は、反転部２０の下方で上下方向に延在するブラケット１８に対しネジを介して固定され、このブラケット１８の基端はハウジング１４に固定されている。また、反転部２０における出口側の他端は、反転部２０の上方で上下方向に延在するブラケット１９に対しネジを介して固定され、このブラケット１９の基端はハウジング１４に固定されている。そして、反転部２０は、ハウジング１４内において上下一対の繰り入れローラ１６と上下一対の繰り出しローラ１７との間で上下に延在すると共に、反転手段Ｐに対する搬入位置と排出位置との高さを揃えるために、所定の角度だけ傾斜させている。
【００１２】
円柱状の反転部２０には、略１８０度反転を可能にするゴム製の反転ベルト３０（反転手段Ｐの一部）が、反転部２０の表面に沿うようにして長手方向に対し斜めに掛け渡されている。この反転ベルト３０は、入口側において、反転部２０の長手方向に延在して略９０度捻られた状態で反転部２０の周面に押し付けられた第１の無端反転ベルト２１と、出口側において、反転部２０の長手方向に延在して略９０度捻られた状態で反転部２０の周面に押し付けられた第２の無端反転ベルト２２とからなる。
【００１３】
この第１の無端反転ベルト２１は、繰り入れローラ１６に対向する位置に配置された第１の入口側ローラ２３と、反転部２０の略中央に配置された第１の出口側ローラ２４との間で巻回されて、反転部２０の周面に押し当てられている。また、第１の入口側ローラ２３と第１の出口側ローラ２４とは略９０度の位相角をもって配置されている。同様に、第２の無端反転ベルト２２は、第１の出口側ローラ２４に隣接した第２の入口側ローラ２６と、繰り出しローラ１７に対向する位置に配置された第２の出口側ローラ２７との間で巻回されて、反転部２０の周面に押し当てられている。そして、第２の入口側ローラ２６と第２の出口側ローラ２７とは略９０度の位相角をもって配置されている。
【００１４】
このように、反転ベルト３０を第１の無端反転ベルト２１と第２の無端反転ベルト２２とで二分割すると、反転部２０に反転ベルトを１本掛けにする場合に比べて、ベルト掛けが容易である。しかも、反転ベルト３０を利用することで、紙葉類Ｓの確実な表裏反転と、紙葉類Ｓの表裏反転にかかる処理時間の短縮とが図られる。
【００１５】
更に、この表裏反転装置１０では、駆動手段４０によって、前述した上下一対の繰り入れローラ１６と、上下一対の繰り出しローラ１７と、第１の無端反転ベルト２１と、第２の無端反転ベルト２２との同期が図られている。この駆動手段４０は、図１〜図３に示すように、ハウジング１４の底板１３に固定された駆動源としてのモータＭを一個備え、このモータＭの駆動プーリ４１と入口側の駆動プール４２と出口側の駆動プーリ４３とは、タイミングベルト４４を介して、側板１２の外側で連結されている。この入口側駆動プーリ４２は、２枚の平行な側板１１，１２間を架け渡すような軸部４２ａの端部に固定され、同様に、出口側駆動プーリ４３も、２枚の平行な側板１１，１２間を架け渡すような軸部４３ａの端部に固定されている。そして、このタイミングベルト４４は、テンションプーリ４６によって確実な駆動伝達が図られている。
【００１６】
この入口側駆動プーリ４２の軸部４２ａには、繰り入れローラ１６と第１の無端反転ベルト２１用の第１の入口側ローラ２３との同期を可能にするため、第１〜第３の中継プーリ４７ａ〜４７ｃが固定されている。そして、第１及び第２の中継プーリ４７ａ，４７ｂと、繰り入れローラ１６の軸部１６ａに固定された二個のプーリ４８とはタイミングベルト４９を介して連結されている。
【００１７】
また、第１の入口側ローラ２３の軸部２３ａは、水平に延在するブラケット５０（図３参照）によって回転自在に支持され、このブラケット５０の基端は側板１１にネジ止めされている。さらに、第１の入口側ローラ２３に所定の首傾け角度をもたせるため、軸部２３ａの途中には、カップリングとして自在継ぎ手５１が取り付けられている。そして、第１の入口側ローラ２３の回転を図るため、軸部２３ａの端部に固定されたプーリ５２と軸部４２ａの端部に固定された第３の中継プーリ４７ｃとをタイミングベルト５３を介して連結する。
【００１８】
同様に、出口側駆動プーリ４３の軸部４３ａには、繰り出しローラ１７と第２の無端反転ベルト２２用の第２の出口側ローラ２７との同期を可能にするため、第１〜第３の中継プーリ５７ａ〜５７ｃが固定されている。そして、第１及び第２の中継プーリ５７ａ，５７ｂと、繰り出しローラ１７の軸部１７ａに固定された二個のプーリ５８とはタイミングベルト５９を介して連結されている。
【００１９】
また、第２の出口側ローラ２７の軸部２７ａは、水平に延在するブラケット（図示せず）によって回転自在に支持され、このブラケットの基端は側板１２にネジ止めされている。さらに、第２の出口側ローラ２７に所定の首傾け角度をもたせるため、軸部２７ａの途中には、カップリングとして自在継ぎ手６１が取り付けられている。そして、第２の出口側ローラ２７の回転を図るため、軸部２７ａの途中に固定されたプーリ６２と軸部４３ａの途中に固定された第３の中継プーリ５７ｃとをタイミングベルト６３を介して連結する。
【００２０】
このように、駆動手段４０は、モータＭと種々のプーリと種々のタイミングベルトとの組み合わせによって、第１の入口側ローラ２３と第２の出口側ローラ２７とを同期して回転させることができ、その結果として、第１の無端反転ベルト２１と第２の無端反転ベルト２２との同期回転を可能にし、紙葉類Ｓの安定した反転が図られる。
【００２１】
本発明は、前述した実施形態に限定されるものではない。例えば、反転部２０が、略鉛直方向に延在するものであってもよい。
【００２２】
【発明の効果】
本発明による表裏反転装置は、以上のように構成されているため、次のような効果を得る。すなわち、搬送経路上で搬送される紙葉類の表裏を反転させるための表裏反転装置において、紙葉類の搬送方向に延在する反転部と、一部が反転部に沿うようにして、反転部の長手方向に対し斜めに掛けられて紙葉類の略１８０度反転を可能にする反転ベルトと、反転ベルトを駆動させる駆動手段とを備え、反転ベルトは、第１の入口側ローラと第１の出口側ローラとの間で巻回されて、反転部の長手方向に延在すると共に、略９０度捻られた状態で反転部の表面に押し当てられた第１の無端反転ベルトと、第１の出口側ローラに隣接した第２の入口側ローラと第２の出口側ローラとの間で巻回されて、反転部の長手方向に延在すると共に、略９０度捻られた状態で反転部の表面に押し当てられた第２の無端反転ベルトとを備えたことにより、紙葉類の表裏反転にかかる処理時間の短縮化を図ることができる。
【図面の簡単な説明】
【図１】本発明に係る表裏反転装置の一実施形態を示す側面図である。
【図２】図１の平面図である。
【図３】図１の正面図である。
【図４】紙幣の反転状況を示す斜視図である。
【符号の説明】
１０…表裏反転装置、２０…反転部、２１…第１の無端反転ベルト、２２…第２の無端反転ベルト、２３…第１の入口側ローラ、２４…第１の出口側ローラ、２６…第２の入口側ローラ、２７…第２の出口側ローラ、３０…反転ベルト、４０…駆動手段、Ｍ…モータ、Ｓ…紙葉類（紙幣）。
【図１】
2004345830.tif 000003
【図２】
2004345830.tif 000004
【図３】
2004345830.tif 000005
【図４】
2004345830.tif 000006